(57)【要約】      （修正有）【課題】メリヤス編みメッシュを挟持し、メリヤス編みメッシュを十分に緊張させ、メリヤス編みメッシュにより良好なスクリーニング効果を持たせる挟持構造及びそれを用いたメリヤス編みメッシュ装置を提供する。【解決手段】内部に第一挟持空間が備えられる第一挟持部１０１と、第一挟持部１０１から延在して屈曲するように形成され、第一挟持部１０１との間に所定の角度をなし、内部に第一挟持空間に連通する第二挟持空間が備えられる第二挟持部１０２とを備える。第二挟持部１０２と第一挟持部１０１との角度が３０度を超え且つ６１度未満であり、この角度によって、第一挟持空間及び第二挟持空間内に挟持される物（メリヤス編みメッシュ１０４）を滑り落ちにくくする。【選択図】図５
0003223291.tif 000002
【実用新案登録請求の範囲】
【請求項１】
内部に第一挟持空間が備えられる第一挟持部と、
前記第一挟持部から延在して屈曲するように形成され、前記第一挟持部との間に所定の角度をなし、内部に第一挟持空間に連通する第二挟持空間が備えられる第二挟持部と、
を備える挟持構造。
【請求項２】
前記所定の角度が３０度を超え且つ６１度未満である、請求項１に記載の挟持構造。
【請求項３】
前記挟持構造は、金属を打ち抜いて折り曲げるようにした一体形成構造である、請求項１に記載の挟持構造。
【請求項４】
前記第一挟持部の第一端の第一側面に、前記第一挟持部の第二端の方向へ折り返して形成された第一フランジが設けられ、
前記第一挟持部の第一端の第二側面に、前記第一挟持部の第二端の方向へ折り返して形成され、前記第一フランジと軸対称に設置された第二フランジが設けられ、
前記第一挟持部の第一端は、前記第一挟持部の第二挟持部から離れた端であり、前記第一挟持部の第二端は、前記第一挟持部の第二挟持部に近い端である、請求項１から３のいずれか１項に記載の挟持構造。
【請求項５】
前記第一挟持部の内側の対向両面に貼り付けられる仕切り布をさらに備える、請求項１から４のいずれか１項に記載の挟持構造。
【請求項６】
前記仕切り布は、前記第一挟持部及び第二挟持部の内側面全体に貼り付けられている、請求項５に記載の挟持構造。
【請求項７】
前記第二挟持部の前記第一挟持部から離れた端より延在して屈曲するように形成され、前記第二挟持空間に連通する第三挟持空間を持つ第三挟持部をさらに備える、請求項１から４のいずれか１項に記載の挟持構造。
【請求項８】
前記第三挟持部と前記第二挟持部との間は、１０度未満の角度をなす、請求項７に記載の挟持構造。
【請求項９】
前記第一挟持部と、前記第二挟持部と、前記第三挟持部との内側面全体に貼り付けられている仕切り布をさらに備える、請求項７または８に記載の挟持構造。
【請求項１０】
メリヤス編みメッシュと、請求項１から９のいずれか１項に記載の挟持構造とを備え、
前記メリヤス編みメッシュの両端にそれぞれ前記挟持構造が設けられ、前記メリヤス編みメッシュの両端がそれぞれ前記挟持構造の挟持空間内に挟持される、メリヤス編みメッシュ装置。
【請求項１１】
前記挟持構造は、所定方向における長さが前記メリヤス編みメッシュの所定方向における長さ以上であり、前記所定方向は、前記メリヤス編みメッシュにおける第一挟持構造が設けられる第一端から前記メリヤス編みメッシュにおける第二挟持構造が設けられる第二端へ延びる方向に直交する、請求項１０に記載のメリヤス編みメッシュ装置。
【考案の詳細な説明】
【技術分野】
【０００１】
本開示は、挟持構造に関し、例えばメリヤス編みメッシュに適用する挟持構造に関する。
【背景技術】
【０００２】
メリヤス編みは、編み込み方法であって、経糸と緯糸を１本ずつ重ねるように編み込む方法である。メリヤス編み法によって製造されるワイヤーメッシュは一般にメリヤス編みメッシュと呼ばれる。
【０００３】
メリヤス編みメッシュは、メッシュ数によって異なる用途に適用される。メッシュ数の多いメリヤス編みメッシュは、例えば、薬のスクリーニングに用いられる。しかしながら、従来技術においてメリヤス編みメッシュを挟持し、メリヤス編みメッシュを十分に緊張させ、メリヤス編みメッシュにより良好なスクリーニング効果を持たせるような良好な挟持構造が不足している。
【０００４】
これに鑑み、上記課題を解決するために、挟持構造及びそれを用いたメリヤス編みメッシュ装置を開発する必要がある。
【考案の概要】
【考案が解決しようとする課題】
【０００５】
本開示は、従来技術において挟持構造がメリヤス編みメッシュを十分に緊張できず、スクリーニング効果が良好でない問題を解決した挟持構造及びそれを用いたメリヤス編みメッシュ装置を提供する。
【課題を解決するための手段】
【０００６】
本実施例の挟持構造は、内部に第一挟持空間が備えられる第一挟持部と、
前記第一挟持部から延在して屈曲するように形成され、前記第一挟持部との間に所定の角度をなし、内部に第一挟持空間に連通する第二挟持空間が備えられる第二挟持部とを備える。
【０００７】
オプションとして、前記所定の角度が３０度を超え且つ６１度未満である。
【０００８】
オプションとして、前記挟持構造は、金属を打ち抜いて折り曲げるようにした一体形成構造である。
【０００９】
オプションとして、前記第一挟持部の第一端の第一側面に、前記第一挟持部の第二端の方向へ折り返して形成された第一フランジが設けられ、前記第一挟持部の第一端の第二側面に、前記第一挟持部の第二端の方向へ折り返して形成され、前記第一フランジと軸対称に設置された第二フランジが設けられ、前記第一挟持部の第一端は、前記第一挟持部の第二挟持部から離れた端であり、前記第一挟持部の第二端は、前記第一挟持部の第二挟持部に近い端である。
【００１０】
オプションとして、第一挟持部の内側の対向両面に貼り付けられる仕切り布をさらに備える。
【００１１】
オプションとして、前記仕切り布は、前記第一挟持部及び第二挟持部の内側面全体に貼り付けられている。
【００１２】
オプションとして、前記第二挟持部の前記第一挟持部から離れた端より延在して屈曲するように形成され、前記第二挟持空間に連通する第三挟持空間を持つ、第三挟持部をさらに備える。
【００１３】
オプションとして、前記第三挟持部と前記第二挟持部との間は、１０度未満の角度をなす。
【００１４】
オプションとして、前記第一挟持部と、第二挟持部と、第三挟持部との内側全体に貼り付けられている仕切り布をさらに備える。
【００１５】
本実施例におけるメリヤス編みメッシュ装置は、メリヤス編みメッシュと、上記いずれか１項に記載の挟持構造とを備え、前記メリヤス編みメッシュの両端にそれぞれ前記挟持構造が設けられ、前記メリヤス編みメッシュの両端がそれぞれ前記挟持構造の挟持空間内に挟持される。
【００１６】
オプションとして、前記挟持構造は、所定方向における長さが前記メリヤス編みメッシュの所定方向における長さ以上であり、前記所定方向は、前記メリヤス編みメッシュにおける第一挟持構造が設けられる第一端から前記メリヤス編みメッシュにおける第二挟持構造が設けられる第二端へ延びる方向に直交する。
【００１７】
本実施例の挟持構造及びそれを用いたメリヤス編みメッシュ装置は、良好な挟持効果を有するとともに、前記挟持構造の長さが前記メリヤス編みメッシュの両端の長さ以上であることにより、この方向におけるメリヤス編みメッシュがより良好な緊張度を有し、該装置を使用すれば高スクリーニング効果が得られる。
【図面の簡単な説明】
【００１８】
【図１】第一実施例による挟持構造のある使用状態を示す部分模式図である。
【図２】第二実施例による挟持構造の別の使用状態を示す部分模式図である。
【図３】第三実施例による挟持構造を示す立体構造模式図である。
【図４】第三実施例による挟持構造に対応するメリヤス編みメッシュ装置を示す構造模式図である。
【図５】第三実施例による挟持構造に対応するメリヤス編みメッシュ装置を示す分解模式図である。
【考案を実施するための形態】
【００１９】
図１を参照する。図１は、第一実施例による挟持構造のある使用状態を示す部分模式図である。
【００２０】
本実施例の挟持構造は、内部に第一挟持空間が備えられる第一挟持部１０１と、前記第一挟持部１０１から延在して屈曲するように形成され、前記第一挟持部１０１との間に所定の角度をなし、内部に第一挟持空間に連通する第二挟持空間が備えられる第二挟持部１０２とを備える。
【００２１】
オプションとして、前記第二挟持部１０２と前記第一挟持部１０１との角度が３０度を超え且つ６１度未満であり、６０度であってもよい。このような角度によって、複数の挟持空間（例えば、前記第一挟空間及び第二挟持空間）内に挟持された物（例えばメリヤス編みメッシュ１０４）を滑り落ちにくくすることができる。
【００２２】
オプションとして、前記挟持構造は、金属を打ち抜いて折り曲げるようにした一体形成構造であり、強い強度と表面線の滑らかさを持っている。
【００２３】
オプションとして、前記第一挟持部１０１の前記第二挟持部１０２から離れた端は、外側に折り返してフランジ１０５が設けられるものであってもよく、第一挟持１０１の縁部と前記メリヤス編みメッシュ１０４との摩擦を回避し、長期的に使用して緊張状態におけるメリヤス編みメッシュ１０４に対する持続的な傷害を回避する。
【００２４】
該第一実施例において、前記挟持構造は、前記第一挟持部１０１の内側の対向両面に貼り付けられ、メリヤス編みメッシュ１０４と前記第一挟持部１０１との摩擦を減少させ、前記メリヤス編みメッシュ１０４と前記第一挟持部１０１とのクランプ度を増大させ、前記第一挟持部１０１と前記メリヤス編みメッシュ１０４との弛みや摩擦力が小さいことで滑り落ちることを回避する仕切り布１０３（例えば、ナイロンオイルクロスである）をさらに備えてもよい。さらに、図２を参照する。図２は、第二実施例による挟持構造の別の使用状態を示す部分模式図である。
【００２５】
該第二実施例において、前記仕切り布１０３は、前記第一挟持部１０１及び第二挟持部１０２の内側面全体に貼り付けられ、メリヤス編みメッシュ１０４と前記第一挟持部１０１及び前記第二挟持部１０２との摩擦をさらに減少し、前記メリヤス編みメッシュ１０４と挟持部（前記第一挟持部１０１及び第二挟持部１０２）とのクランプ度を増大させ、前記第一挟持部１０１、第二挟持部１０２と前記メリヤス編みメッシュ１０４との弛みや摩擦力が小さいことで滑り落ちることを回避する。
【００２６】
さらに、図３、図４、図５を参照する。 図３は、本考案の第三実施例による挟持構造の第三実施例の立体構造模式図である。図４は、本考案の第三実施例による挟持構造に対応するメリヤス編みメッシュ装置を示す構造模式図である。図５は、本考案の第三実施例による挟持構造に対応するメリヤス編みメッシュ装置を示す分解模式図である。
【００２７】
該第三実施例において、該挟持構造は、前記第二挟持部１０２の前記第一挟持部１０１から離れた端より延在して屈曲するように形成され、前記第二挟持空間に連通する第三挟持空間を持つ第三挟持部１０６をさら備える。第三挟持部１０６を追加することで、メリヤス編みメッシュ１０４は第二挟持部１０２によって折り曲げて挟持されてから、第三挟持部１０６によって折り曲げて挟持されると、二つの角度を調整してメリヤス編みメッシュ１０４が脱落する可能性がほとんどないようにした。
【００２８】
オプションとして、前記第三挟持部１０６と前記第二挟持部１０２との間は、所定の角度未満の角度をなし、前記所定の角度が１０度であってもよい。オプションとして、前記第三挟持部１０６は、折り曲げられてから前記第二挟持部１０２に貼り付けられる。
【００２９】
オプションとして、前記仕切り布１０３は、前記第一挟持部１０１と、第二挟持部１０２と、第三挟持部１０６との内側面全体に貼り付けられている。メリヤス編みメッシュ１０４と、前記第一挟持部１０１、前記第二挟持部１０２及び第三挟持部１０６との摩擦を大幅に減少し、前記メリヤス編みメッシュ１０４と複数の挟持部（前記第一挟持部１０１、第二挟持部１０２及び第三挟持部１０６）との間のクランプ度を増大させ、前記第一挟持部１０１、第二挟持部１０２及び第三挟持部１０６と前記メリヤス編みメッシュ１０４との弛みや摩擦力が小さいことで滑り落ちることを回避する。
【００３０】
オプションとして、前記メリヤス編みメッシュ１０４のメッシュ数は、例えば、直径が予め設定された閾値より小さい物のスクリーニングを実現できるように、４００メッシュまたは６００メッシュなどの高メッシュ数であってもよい。前記メリヤス編みメッシュ１０４及び前記挟持部の材質は、ＳＵＳ３０４またはＳＵＳ３１６であってもよい。ここで、ＳＵＳは日本材料規格である。
【００３１】
本実施例は、該挟持構造を用いたメリヤス編みメッシュ装置をさらに提供し、この装置はメリヤス編みメッシュ１０４及び上記いずれかの挟持構造を備え、前記メリヤス編みメッシュ１０４の両端にそれぞれ上記挟持構造が設けられ、前記メリヤス編みメッシュ１０４の両端が上記挟持構造の挟持空間内に挟持される。上記第一実施例及び第二実施例に対応して、前記メリヤス編みメッシュ１０４の両端は、上記第一挟持空間及び第二挟持空間内に挟持される。
【００３２】
オプションとして、前記挟持構造は、所定方向に沿う長さが前記メリヤス編みメッシュ１０４の所定方向に沿う長さ以上であり、前記所定方向において、前記メリヤス編みメッシュ１０４の一部が前記挟持構造の挟持空間に位置しない状況を回避することができ、さらに、メリヤス編みメッシュ１０４は前記所定方向において良好な緊張度を有するようにした。図４を参照して、前記所定方向は、前記メリヤス編みメッシュ１０４における第一挟持構造が設けられる第一端１０４１から前記メリヤス編みメッシュ１０４における第二挟持構造が設けられる第二端１０４２へ延びる方向に直交する。
【００３３】
従来技術に比べると、本実施例の挟持構造及びそれを用いたメリヤス編みメッシュ装置は、メリヤス編みメッシュ１０４を前記挟持構造に挟持させるとともに、前記挟持構造の第一挟持部１０１と第二挟持部１０２との間は角度をもっているので、良好な挟持効果を有し、且つ、所定方向において、前記挟持構造の長さが前記メリヤス編みメッシュ１０４の長さ以上であることにより、この方向におけるメリヤス編みメッシュ１０４が良好な緊張度を有し、該装置を使用すれば高スクリーニング効果が得られる。
【産業上の利用可能性】
【００３４】
本実施例の挟持構造及びそれを用いたメリヤス編みメッシュ装置は、メリヤス編みメッシュを前記挟持構造に挟持させるとともに、前記挟持構造の第一挟持部と第二挟持部との間は角度をもっているので、前記挟持構造の長さが前記メリヤス編みメッシュの両端の長さ以上であることにより、この方向におけるメリヤス編みメッシュが良好な緊張度を有し、該装置を使用すれば高スクリーニング効果が得られる。
【図１】
0003223291.tif 000003
【図２】
0003223291.tif 000004
【図３】
0003223291.tif 000005
【図４】
0003223291.tif 000006
【図５】
0003223291.tif 000007